(57)【要約】【課題】  従来の除毛装置ではマイナスイオンを放出して除毛処理後の肌面をアフターケアしているが、マイナスイオンが拡散してしまうため効率よく作用せずその効果は不十分となり、ある程度の肌荒れや不快感を軽減するものであった。【解決手段】  本発明は本体の側面より効率よく肌面に作用するミストを噴出し、かつ本体に溝部を構成することによりミストが拡散することを防ぎ効率よく作用させることにより体毛処理後の不快感を低減させ満足感を得ることができるものである。【選択図】図１
2011251101.tif 000002
【特許請求の範囲】
【請求項１】
本体の一端側に体毛処理部を形成し、本体の他端側にミスト発生部とミスト発生部に水を供給する水タンクを形成し、ミスト発生部のミスト噴出口を本体の側面に形成してなることを特徴とする体毛処理器。
【請求項２】
本体の側面に凹部を形成し、この凹部の底面にミスト噴出口を形成してなることを特徴とする請求項１記載の体毛処理器。
【請求項３】
前記凹部が溝形状に形成され、噴出されるミストの抜け道となる開放部をこの溝形状の凹部の一部に形成してなることを特徴とする請求項２記載の体毛処理器。
【請求項４】
前記ミスト噴射口を開閉自在としてなることを特徴とする請求項１乃至３記載の体毛処理器。
【発明の詳細な説明】
【技術分野】
【０００１】  本発明は、人体の体毛を除去する体毛処理器であって、肌荒れや不快感を軽減する機能として体毛処理機能にミスト発生機能を搭載した体毛処理器に関する。
【背景技術】
【０００２】  従来のシェーバや脱毛機では体毛を処理した後の不快感に関するアフターケアが無く、使用者によっては処理後の不快感があるため十分な満足感が得られなかった。【０００３】  一方、脱毛処理において、マイナスイオンを利用して肌面をケアする除毛装置は、特許文献１に示されるものがある。
【先行技術文献】
【特許文献】
【０００４】
【特許文献１】  特開２００３−３１０３４１
【発明の概要】
【発明が解決しようとする課題】
【０００５】  この除毛装置では、除毛処理を行う方向にマイナスイオンを放出するものであり、除毛機能以外の別の位置にマイナスイオン放出部が設けられているので、肌面から放出部が遠くなり、放出されるマイナスイオンが拡散されやすくなり、肌面に効率的に作用させることが難しいものであった。
また、シェービングや脱毛後の肌荒れは、個人差はあるものの不快感を取り除くためにミスト発生の機能を使用することが効果的である。
本発明は、上記の点に鑑みてなされたものであり、ミストを効率よく効果的に肌面に供給して、肌荒れや不快感を軽減することを十分に行えるようにした体毛処理器を提供することにある。
【課題を解決するための手段】
【０００６】  上記課題を解決するために本発明に係る体毛処理器は、本体の一端側に体毛処理部を形成し、本体の他端側にミスト発生部とミスト発生部に水を供給する水タンクを形成し、ミスト発生部のミスト噴出口を本体の側面に形成してなることを特徴とする。これによると、本体側面からミストが噴出することになり、肌面近くにまで噴出孔を近づけることができ、効率よく肌面にミストが作用することになり、体毛処理後の不快感を低減させ満足感を得ることができる。【０００７】  また、本発明に係る体毛処理器は、本体の側面に凹部を形成し、この凹部の底面にミスト噴出口を形成してなることを特徴とする。これによると、ミスト噴出口が肌面に直接密着せず、肌面にてミスト噴出口が塞がれることがなく、さらに拡散することが防げるため肌面に効率よくミストを作用させることができる。【０００８】  また、本発明に係る体毛処理器は、凹部を溝形状に形成し、噴出されるミストの抜け道となる開放部をこの溝形状の凹部の一部に形成してなることを特徴とする。これによると、肌面に体毛処理器の側面を密着した場合であっても、開放部よりミストが逃げ、凹部にミストがこもらず、水滴等ができにくくなり、水滴による不快感がなく、水滴による障害がなくせるものである。【０００９】  また、本発明に係る体毛処理器は、ミスト噴出口を開閉自在としてなることを特徴とする。これによると、ミスト機能を使用しないときは、ミスト噴出口を閉じることができ、衛生的であり、誤動作が起きにくくなるものである。
【発明の効果】
【００１０】  本発明に係る体毛処理器は、ミスト発生部のミスト噴出口を本体の側面に形成してなるので、本体側面からミストが噴出することになり、肌面近くにまで噴出孔を近づけ、効率よく肌面にミストが作用することができ、体毛処理後にミスト効果により体毛処理後の不快感を低減させ満足感を得る効果が期待できる。
【図面の簡単な説明】
【００１１】
【図１】本発明の一実施例の斜視図である。
【図２】本発明の一実施例のミスト噴出口を閉じた状態の斜視図である。
【図３】本発明の一実施例のミスト噴出口を開いた状態の正面図である。
【図４】本発明を構成する要素のブロック図である。
【発明を実施するための形態】
【００１２】  以下、本発明を図面に示す実施形態に基づいて説明する。
【００１３】  本発明の体毛処理器Ａは、本体２０の一端側に体毛処理部１が形成され、本体２０の他端側にミスト発生部２とミスト発生部２に水を供給する水タンク３とが形成され、ミスト発生部２のミスト噴出口４が本体２０の一側面に形成されている。本発明の実施の形態の例として、第１図乃至第４図には、除毛装置である脱毛処理を行う電気脱毛器の体毛処理器Ａを例示する。また、本発明の体毛処理器Ａは、ひげや体毛の剃毛処理を行う電気カミソリ器であってもよいものである。
【００１４】  図１乃至図３に示す実施の形態では、本体２０の一端側に形成されている体毛処理部１は、脱毛する機能がある脱毛部１０が形成されており、脱毛部１０には、図示しないが、毛を挟んで抜く機構やその機構を動かす駆動機構やモータを備えているものである。本体２０の他端側には、ミスト発生部２と水タンク３とが形成されており、ミスト発生部２は超音波式のミスト発生機構を備え、ミスト発生機構は圧電素子と発振回路を備えている。水タンク３は供給管にてミスト発生部２の圧電素子に水を供給するものである。圧電素子を振動させてミストを発生させるものである。
【００１５】  本体２０には、体毛処理部１とミスト発生部２に電源を供給する電源部５が内装されており、電源部５は充電電池や乾電池である。また、必要に応じて外部電源を利用する形態であってもよい。電源部５が充電電池や乾電池であれば、小型にでき、体毛処理器Ａの取り扱いが便利なものとなる。
【００１６】  体毛処理部１とミスト発生部２を駆動制御するための制御部６が本体内２０に内装されており、この制御部６は体毛処理部１やミスト発生部２の駆動機構のオンオフ制御をするとともに、ミスト量を制御する。そして、本体２０の側面には、切り替えスイッチ７が設けられており、このスイッチ７を切り替えて体毛処理部１やミスト発生部２をオンオフさせ、ミスト量を変化させることができるものである。
【００１７】  図１乃至図３に示されるように、体毛処理器Ａのミスト発生部２と水タンク３とが一体の構成部位になるように形成され、水タンク３のケースより縮小されて段差部４０が連設されており、この段差部４０の面にミスト噴出口４が配設されている。そして、この段差部４０が、本体２０内に収納可能なように長手方向にスライドでき、図２に示されるように、収納された状態で、ミスト噴出口４が閉じた状態となるものである。
【００１８】  即ち、図１及び図３のように、水タンク３を外方に引き出せば、ミスト噴出口４が開口した状態となり、ミストが噴出できることになる。
【００１９】  図１及び図３のように、水タンク３を外方に引き出した状態では、結果的に段差部４０が、本体２０の側面より凹んだ状態となり凹部が形成されることになり、そしてこの凹部の底面にミスト噴出口４が形成されたことになる。即ち、体毛処理器Ａの本体２０の側面が肌面に密着しても、ミスト噴出口４が肌面に直接密着せず、肌面にてミスト噴出口４が塞がれることがなく、隙間ができ、さらにミストが拡散することを防ぐ効果が生まれるため肌面に効率よくミストを作用させることができる。
【００２０】  また、この凹部は、短手方向に渡って形成されることから溝形状となり、短手方向の両端部には、図３にように示されるように、開放部４１が形成されることになる。即ち、この開放部４１は、ミスト噴出口４から噴出されるミストの抜け道となり、開放部４１よりミストが逃げ、凹部にミストがこもらず、水滴等ができにくくなり、水滴による不快感がなく、水滴による障害がなくせるものである。
【００２１】  図４は、本発明の体毛処理器Ａのブロック図である。
【符号の説明】
【００２２】Ａ  体毛処理器
１  体毛処理部
２  ミスト発生部
３  水タンク
４  ミスト噴出口
５  電源部
６  制御部
７  スイッチ
１０  脱毛部
２０  本体
４０  段差部
４１  開放部
【図１】
2011251101.tif 000003
【図２】
2011251101.tif 000004
【図３】
2011251101.tif 000005
【図４】
2011251101.tif 000006